(57)【要約】【課題】広い空間を占めることなく、軽量で薄型で小型のマルチバンドアンテナパッケージ構造を提供する。【解決手段】マルチバンドアンテナパッケージ構造は、第１の再分配層；少なくとも１つの金属ビアと少なくとも１つの金属ピラー、集積回路チップと、モールディング層とを含む第１の再配線層上に形成された集積回路層、ここではモールディング層は第１の再配線層上に形成された金属ビア、金属ピラー及び集積回路チップによって形成された開口部を充填するための第１の再配線層の第１の金属パターンとなる;そして集積回路層上に形成された第２の再分配層,第１の誘電体層と第１の誘電体層の開口部に形成された第３の金属パターンとを有する第１のアンテナユニット層とを備え、第３の金属パターンのうちの少なくとも１つは前記第２の金属パターンの１つに電気的に接続され、前記第３の金属パターンは、第１のアンテナユニットを形成する。【選択図】図１
2019114840.tif 000002
【特許請求の範囲】
【請求項１】
マルチバンドアンテナパッケージ構造には以下が含まれる：
第１の誘電材料層と、前記第１の誘電材料層の開口内に形成された第１の金属パターンとを含む第１の再分配層と;
少なくとも１つの金属ビア、少なくとも１つの金属ピラーと、集積回路チップ、モールディング層とを含む第１の再配線層上に形成された集積回路層と、前記モールディング層は、前記第１の再配線層上に配置された金属ビア、金属ピラー及び集積回路チップによって形成された開口部を充填するために使用され、金属ビアは第１の金属パターンの１つに電気的に接続される；
前記金属ピラーは、前記集積回路チップ及び前記第１の金属パターンのうちの１つに電気的に接続され
集積回路層上に形成され、第２の誘電体材料層と、前記第２の誘電体材料層の開口内に形成された第２の金属パターンとを含む、第２の再分配層と、前記金属ビアは、前記第２の金属パターンのうちの１つと電気的に接続される、そして;
第１の誘電体層と、前記第１の誘電体層の開口部に形成された第３の金属パターンとを有する第１のアンテナユニット層と、第３の金属パターンのうちの少なくとも１つは、第２の金属パターンの１つに電気的に接続され、第３の金属パターンは第１のアンテナユニットを形成する。
【請求項２】
請求項１に記載のマルチバンドアンテナパッケージ構造において、集積回路チップは、集積回路チップの集積回路上に配置された第２のアンテナユニットを含む。
【請求項３】
請求項１に記載のマルチバンドアンテナパッケージ構造においては以下が含まれる:
第１のアンテナユニット層と第２の再配線層との間に形成された第１のシールド層と、第２の誘電体層と、第２の誘電体層の開口部に形成された第４の金属パターンとを備え、第４の金属パターンは、第３の金属パターンと第２の金属パターンの一部とに電気的に接続され;
第１の保護層と、前記第１の再配線層は、前記第１の保護層上に配置され;
請求項１のアンテナユニット層上に形成された第２の保護層と、そして
マルチバンドアンテナパッケージ構造は、バンプボールを介して基板上に実装される。
【請求項４】
請求項１に記載のマルチバンドアンテナパッケージ構造において、第１のアンテナユニットは多入力多出力位相アンテナである。
【請求項５】
請求項１に記載のマルチバンドアンテナパッケージ構造には以下で構成される:
第２の誘電体層と、前記第２の誘電体層の開口部に形成された第４の金属パターンとを有する第２のアンテナユニット層と、前記第４の金属パターンのうちの少なくとも１つは前記第１の金属パターンのうちの１つと電気的に接続され、前記第４の金属パターンは第２のアンテナ部を形成し、前記第２のアンテナユニット層上に前記第１の再配線層を形成する
第１のアンテナユニット層と前記第２の再配線層との間に形成された第１のシールド層と、第３の誘電体層と、前記第３の誘電体層の開口部に形成された第５の金属パターンとを備え、前記第５の金属パターンは、前記第３の金属パターン及び前記第２の金属パターンの一部と電気的に連結され、そして
第２のアンテナ層と第１の再配線層との間に形成された第２シールド層と、第４の誘電体層と、前記第４の誘電体層の開口部に形成された第６の金属パターンとを備え、前記第６の金属パターンは第４の金属パターンと第１の金属パターンの一部とに電気的に連結されることを特徴とする。
【請求項６】
請求項５に記載のマルチバンドアンテナパッケージ構造において備えるものは;
第１の保護層と、前記第１の再配線層は、第１の保護層上に配置され;
前記第１のアンテナユニット層に形成された第２の保護層、そして;
バンプボール、マルチバンドアンテナパッケージ構造は、バンプボールを介して基板上に実装される。
【請求項７】
請求項５に記載のマルチバンドアンテナパッケージ構造において、第２のアンテナユニットは多入力多出力位相アンテナである。
【請求項８】
マルチバンドアンテナパッケージ構造の製造方法には以下が備わる:
第１の暫定基板に第１の接着層を提供する;
第１の接着層上に第１の誘電体層を形成する段階と、前記第１の誘電体層の開口部に第１の金属パターンを形成する段階;
第１の金属パターンのうちの１つの上に少なくとも１つの金属ビアを形成する;
第１の金属パターンの一部に少なくとも１つの金属ピラーを形成し、金属ピラー上に集積回路チップを配置する；
金属ピラー、金属ビア及び集積回路チップを覆うようにモールディング層が形成され;
モールディング層、金属ビア、金属ピラー及び集積回路チップを含む集積回路チップ層を形成するように、モールディング層を薄くして金属ビアを露出させる;
集積回路チップ層上に第１の再分配層を形成するステップと、前記第１の再配線層は、第２の誘電体材料層と、前記第２の誘電体材料層の開口部に形成された第２の金属パターンとを含み;
第１の再配線層上に第１のアンテナユニット層を形成する工程と、第１のアンテナ部層は第１の誘電体層と前記第１の誘電体層の開口部に形成された第３の金属パターンとを含み、第３の金属パターンのうちの少なくとも１つは前記第２の金属パターンに電気的に接続され、前記第３の金属パターンは第１のアンテナ部を形成する;
第１のアンテナ部層上に第１の保護層を形成して第１の積層構造を形成する段階;
第１の積層構造を第２の仮基板上に第２の接着層を用いて接着するステップと、第１の仮基板を第１の接着層で除去するステップ;
第１の誘電体層及び第１の金属パターンを加工して第２の再配線層を形成する段階と、第２の再分配層は、処理された第１の誘電体材料層および処理された第１の金属パターンを含む;
第２の再配線層上に第２の保護層を形成する工程と;
第２の保護層上にバンプボールを形成、すなわち第２の積層構造を形成する段階；そして
第２の積層構造を下向きにして、第２の接着剤層を有する第２の仮基板を除去し、前記第２の積層構造体をバンプボールを介して基板上に搭載する工程を含む。
【請求項９】
通信装置には以下が備えられる:
マルチバンドアンテナパッケージ構造であって:
第１の誘電材料層と、前記第１の誘電材料層の開口内に形成された第１の金属パターンとを含む第１の再分配層と;
少なくとも１つの金属ビアと、少なくとも１つの金属ピラーと、集積回路チップと、モールディング層とを含む第１の再配線層上に形成された集積回路層と、前記モールディング層は、前記第１の再配線層上に配置された金属ビア、金属ピラー及び集積回路チップによって形成された開口部を充填するために使用され、前記金属ピラーは、前記集積回路チップ及び前記第１の金属パターンのうちの１つと前記第２の金属パターンに電気的に接続される;
集積回路層上に形成された第２の再分配層と、第２の誘電体層と、前記第２の誘電体層の開口部に形成された第２の金属パターンを備え、前記金属ビアは、前記第２の金属パターンのうちの１つと電気的に接続され、そして
第１の誘電体層と、前記第１の誘電体層の開口部に形成された第３の金属パターンとを有する第１のアンテナユニット層と、前記第３の金属パターンのうちの少なくとも１つは、前記第２の金属パターンに電気的に接続され、前記第３の金属パターンは、第１のアンテナ部を形成し、;
集積回路は処理回路であり、集積回路チップは集積回路上に第２のアンテナユニットを有する、あるいは、集積回路チップは、第２のアンテナユニットを有していないが、マルチバンドアンテナパッケージ構造は先のものを備える;
第２の誘電体層と、前記第２の誘電体層の開口部に形成された第４の金属パターンとを有する第２のアンテナユニット層と、第４の金属パターンのうちの少なくとも１つは第１の金属パターンのうちの１つと電気的に接続され、第４の金属パターンは第２のアンテナ部を形成し、第１の再配線層は前記第２のアンテナ部層上に形成される。
【請求項１０】
請求項９に記載の通信装置は、暗号化された通信装置または周波数変換装置である。
【発明の詳細な説明】
【技術分野】
【０００１】
本発明は、マルチバンドアンテナ、特に、マルチバンドアンテナパッケージ構造、マルチバンドアンテナパッケージ構造の製造方法及び通信装置に関する。
【背景技術】
【０００２】
アンテナは、通信装置の重要な構成要素であり、無線周波数信号を放射することができる。アンテナシステム（すなわちフロントエンド）とチップシステム（すなわちバックエンド）とを電気的に接続する従来の接続方法はワイヤボンディングであり、アンテナは基板上に配置されたアンテナとチップ上に配置された別のアンテナとを含む。しかし、ワイヤボンディングは、無線周波数信号の消費電力を大幅に増加させるだけでなく、高品質の入出力を得るために電極パッドによって大きなスペースを占める。
【０００３】
ワイヤボンディングの使用を減らすため、アンテナをパッケージ構造内に集積するための設計が、公開された論文が（Ka Fai Chang、Rui Li、Cheng Jin、Tech Guan Lim、Soon Wee Ho、How "アンテナ集積パッケージを備えた77GHzの自動車用レーダセンサ"、IEEE、コンポーネント、パッケージング及び製造技術、第４巻、第２号、2014年2月）記載されている。しかしながら、パッケージ構造は、マルチバンドアンテナとシステムとを電気的に接続する積層パッケージ構造ではなく、現在の製造工程と比較して、パッケージ構造の製造工程が安定していない。例えば、モールドコンパウンドビアは不一致であり、反りの影響により非接触ジョイントが生じる。
【発明の概要】
【発明が解決しようとする課題】
【０００４】
本発明の目的は、広い空間を占めることなく、軽量で薄型で小型のマルチバンドアンテナパッケージ構造を提供することにある。
【０００５】
本発明の別の目的は、隣接チャネル干渉などの異なる周波数帯域の干渉を解決することができるマルチバンドアンテナパッケージ構造を提供することである。
【０００６】
本発明の別の目的は、上記マルチバンドアンテナパッケージ構造の製造方法を提供することにある。
【０００７】
本発明の他の目的は、上記のマルチバンドアンテナパッケージ構造を用いた通信装置を提供することであり、通信装置は、第１周波数信号を受信し、第１周波数信号のメッセージ情報を伝達する第２周波数信号を出力する周波数信号を生成する。通信デバイスは、盗聴者が第１の周波数信号のメッセージ情報を盗聴することができないように、周波数変換デバイスまたは暗号化された通信デバイスとすることができる。
【課題を解決するための手段】
【０００８】
上記の目的を少なくとも達成するために、本開示は、マルチバンドアンテナパッケージ構造を提供し、第１の誘電材料層と、第１の誘電材料層の開口内に形成された第１の金属パターンとを含む第１の再分配層と、少なくとも１つの金属ビアと少なくとも１つの金属ピラー、集積回路チップと、モールディング層とを含む第１の再配線層上に形成された集積回路層とを備え、前記モールディング層は第１の再配線層上に配置された金属ビア、金属ピラー及び集積回路チップによって形成された開口部を充填するために使用され、金属ピラーは集積回路チップ及び前記第１の金属パターンのうちの１つと電気的に接続され、第２の金属パターンは前記集積回路層上に形成され、第２の誘電体材料層と第２の誘電体材料層の開口内に形成された第２の金属パターンとを含む第２の再分配層を備える、さらに前記金属ビアは、第２の金属パターンのうちの１つと電気的に接続され、第１の誘電体層と第１の誘電体層の開口部に形成された第３の金属パターンとを有する第１のアンテナユニット層を有し、第３の金属パターンのうちの少なくとも１つは、前記第２の金属パターンのうちの１つと電気的に接続され、前記第３の金属パターンは、第１のアンテナユニットを形成する。
【０００９】
本開示の一実施形態では、集積回路チップは、集積回路チップの集積回路上に配置された第２のアンテナユニットを含む。
【００１０】
本開示の一実施形態では、マルチバンドアンテナパッケージ構造は第１のアンテナユニット層と第２の再配線層との間に形成され、第２の誘電体層を含む第１のシールド層と、前記第４の金属パターンは、前記第３の金属パターンと前記第２の金属パターンの一部とに電気的に接続されていることを特徴とする。
【００１１】
本開示の一実施形態では、マルチバンドアンテナパッケージ構造は、第１の保護層上に配置された第１の保護層と、前記第１のアンテナユニット層上に形成された第２の保護層と、バンプボールを介して基板上に実装されていることを特徴とする請求項１に記載のマルチバンドアンテナパッケージ構造にあるバンプボールで構成される。
【００１２】
本開示の一実施形態では、第１のアンテナユニットは、多入力多出力位相アンテナである。
【００１３】
本開示の一実施形態では、集積回路チップは、金属ビアの高さと同じか、あるいは金属ビアの高さよりも低い高さを有する。
【００１４】
本開示の一実施形態では、マルチバンドアンテナパッケージ構造は、第２の誘電体層と、第２の誘電体層の開口部に形成された第４の金属パターンとを含む第２のアンテナユニット層をさらに備え、前記第４の金属パターンは、前記第１の金属パターンと電気的に連結され、前記第４の金属パターンは、第２アンテナユニットを形成し、前記第１アンテナ素子層上に前記第１の再分配層が形成される。
【００１５】
本開示の一実施形態では、マルチバンドアンテナパッケージ構造は、第１のアンテナユニット層と第２の再配線層との間に形成され、第３の誘電体層と、その第３の誘電体層の開口部に形成され、前記第３の金属パターンと前記第２の金属パターンの一部とに電気的に接続される第５の金属パターンとを含む第１のシールド層と、そして前記第２のアンテナ層と前記第１の再配線層との間に形成された、第４の誘電体層と前記第４の誘電体層の開口部に形成された第６の金属パターンとを含み、前記第６の金属パターンは、前記第４の金属パターンと前記第１の金属パターンの一部とに電気的に連結される第２のシールド層とで構成される。
【００１６】
本開示の一実施形態では、マルチバンドアンテナパッケージ構造は、第１の保護層上に配置された第１の保護層と、前記第１のアンテナユニット層上に形成された第２の保護層と、バンプボールを介して基板上に実装されるマルチバンドアンテナパッケージ構造がある、バンプボールとで構成される。
【００１７】
本開示の一実施形態では、第２のアンテナユニットは、多入力多出力位相アンテナである。
【００１８】
少なくとも上記目的を達成するために、本発明は、マルチバンドアンテナパッケージ構造の製造方法である；第１の暫定基板に第１の接着層を提供するステップと ;前記第１の接着層上に第１の誘電体層を形成する段階と、前記第１の誘電体層の開口部に第１の金属パターンを形成する段階; 前記第１の金属パターンのうちの１つの上に少なくとも１つの金属ビアを形成するステップと、;第１の金属パターンの一部に少なくとも１つの金属ピラーを形成し、金属ピラー上に集積回路チップを配置するステップ ;金属ピラー、金属ビア及び集積回路チップを覆うようにモールディング層が形成され、;モールディング層、金属ビア、金属ピラー及び集積回路チップを含む集積回路チップ層を形成するために、モールディング層を薄くして金属ビアを露出させる段階と、前記集積回路チップ層上に第２の誘電体層と第２の金属パターンとを含む第１の再配線層を形成するステップと、前記第２の誘電体材料層の開口部に第２の再配線層を形成するステップがあり; 前記第１の誘電体層の開口部に形成された第１の誘電体層及び第３の金属パターンを含み、前記第３の金属パターンの少なくとも１つは、前記第３の金属パターンは第１のアンテナ部を形成し、;  前記第１のアンテナ部層上に第１の保護層を形成して第１の積層構造を形成する段階; 前記第１の積層構造を第２の仮基板上に第２の接着層を用いて接着するステップと、前記第１の仮基板を前記第１の接着層で除去するステップ、; そして処理された第１の誘電体材料層および処理された第１の金属パターンを含む第２の再分配層を形成するステップ；前記第２の再配線層上に第２の保護層を形成する工程; 前記第２の保護層上にバンプボールを形成して第２の積層構造を形成する段階と、第２の積層構造を下向きにして前記バンプボールを介して基板上に搭載する工程と、を含むことを特徴とする半導体装置の製造方法を含む。
【００１９】
本開示の一実施形態では、集積回路チップは、集積回路チップの集積回路上に第２のアンテナユニットを含む。
【００２０】
本発明の一実施形態に係るマルチバンドアンテナパッケージ構造の製造方法は、第１のアンテナユニット層が形成される前に、第１の再配線層上に第１シールド層を形成する。ここでは前記第１のシールド層は、第２の誘電体層と、前記第２の誘電体層の開口部に形成された第４の金属パターンとを含み、前記第４の金属パターンは、前記第３の金属パターン及び前記第２の金属パターンの一部と電気的に連結される。
【００２１】
本発明の一実施形態に係るマルチバンドアンテナパッケージ構造の製造方法は、前記第２の保護層を形成する前に、前記第２の再配線層上に第２のアンテナユニット層を形成する段階と、前記第２のアンテナ部層は、第２の誘電体層と、前記第２の誘電体層の開口部に形成された第４の金属パターンとを含み、前記第４の金属パターンのうちの少なくとも１つは、前記第１の金属パターンのうちの１つと電気的に接続され、前記第４の金属パターンは第１のアンテナ部を形成する。
【００２２】
本開示の一実施形態における、マルチバンドアンテナパッケージ構造の製造方法は、第１のアンテナユニット層を形成する前に、第１の再配線層上に第１のシールド層を形成する工程と、第１のシールド層は第３誘電体層と第３誘電体層の開口部に形成された第５の金属パターンとを含み、第５の金属パターンは第３の金属パターン及び前記第２の金属パターンの一部と電気的に連結される；そして、第２のアンテナユニット層を形成する前に、第２の再配線層上に第２のシールド層を形成する工程と、第２のシールド層は第４の誘電体層と、第４の誘電体層の開口部に形成された第６の金属パターンとを含み、第６の金属パターンは第４の金属パターンと第１の金属パターンの一部とに電気的に連結されることを特徴とする。
【００２３】
上記目的を達成するために、本発明の通信装置は、マルチバンドアンテナパッケージ構造であって、第１の誘電材料層と、第１の誘電材料層の開口内に形成された第１の金属パターンとを含む第１の再分配層と、少なくとも１つの金属ビアと少なくとも１つの金属ピラー、集積回路チップと、モールディング層とを含む第１の再配線層上に形成された集積回路層とが備わり、モールディング層は前記第１の再配線層上に配置された金属ビア、金属ピラー及び集積回路チップによって形成された開口部を充填するために使用され、金属ビアは第１の金属パターンのうちの１つと電気的に接続され、金属ピラーは集積回路チップ及び前記第１の金属パターンのうちの１つに電気的に接続される；そして集積回路層上に形成され、第２の誘電体材料層と前記第２の誘電体材料層の開口内に形成された第２の金属パターンとを含む第２再分配層と、前記金属ビアは第２の金属パターンのうちの１つと電気的に接続され、第１の誘電体層と第１の誘電体層の開口部に形成された第３の金属パターンとを有する第１のアンテナユニット層とを備え、第３の金属パターンの少なくとも１つは、第２の金属パターンの１つと電気的に接続され第３の金属パターンは第１のアンテナ部を形成する、そして集積回路は処理回路であり、集積回路チップは集積回路上に第２のアンテナユニットを有し、あるいは、集積回路チップは、第２のアンテナユニットを有していないが、マルチバンドアンテナパッケージ構造は；第２の誘電体層と、第２の誘電体層の開口部に形成された第４の金属パターンとを有する第２のアンテナユニット層と、第４の金属パターンのうちの少なくとも１つは第１の金属パターンに電気的に接続され、第４の金属パターンは第２のアンテナ部を形成し、第１の再配線層は第２のアンテナユニット層に形成される。
【００２４】
本開示の一実施形態では、通信デバイスは、暗号化された通信デバイスまたは周波数変換デバイスである。
【発明の効果】
【００２５】
要約すると、上記のマルチバンドアンテナパッケージ構造は、高いコスト効率、高い可撓性、高いスケーラビリティ、小さな体積、薄い厚さ及び軽量の利点を有し、周波数のような通信装置を実現するために使用され得る変換装置または暗号化された通信装置である。
【図面の簡単な説明】
【００２６】
【図１】本開示の一実施形態によるマルチバンドアンテナパッケージ構造の断面図である。
【図２】本開示の別の一実施形態によるマルチバンドアンテナパッケージ構造の断面図である。
【図３】本開示の別の一実施形態によるマルチバンドアンテナパッケージ構造の断面図である。
【図４Ａ】本開示の一実施形態によるマルチバンドアンテナパッケージ構造の製造方法のステップの製品断面図である。
【図４Ｂ】本開示の一実施形態によるマルチバンドアンテナパッケージ構造の製造方法のステップの製品断面図である。
【図４Ｃ】本開示の一実施形態によるマルチバンドアンテナパッケージ構造の製造方法のステップの製品断面図である。
【図４Ｄ】本開示の一実施形態によるマルチバンドアンテナパッケージ構造の製造方法のステップの製品断面図である。
【図４Ｅ】本開示の一実施形態によるマルチバンドアンテナパッケージ構造の製造方法のステップの製品断面図である。
【図４Ｆ】本開示の一実施形態によるマルチバンドアンテナパッケージ構造の製造方法のステップの製品断面図である。
【図４Ｇ】本開示の一実施形態によるマルチバンドアンテナパッケージ構造の製造方法のステップの製品断面図である。
【図４Ｈ】本開示の一実施形態によるマルチバンドアンテナパッケージ構造の製造方法のステップの製品断面図である。
【図４Ｉ】本開示の一実施形態によるマルチバンドアンテナパッケージ構造の製造方法のステップの製品断面図である。
【図４Ｊ】本開示の一実施形態によるマルチバンドアンテナパッケージ構造の製造方法のステップの製品断面図である。
【図４Ｋ】本開示の一実施形態によるマルチバンドアンテナパッケージ構造の製造方法のステップの製品断面図である。
【図４Ｌ】本開示の一実施形態によるマルチバンドアンテナパッケージ構造の製造方法のステップの製品断面図である。
【図４Ｍ】本開示の一実施形態によるマルチバンドアンテナパッケージ構造の製造方法のステップの製品断面図である。
【図４Ｎ】本開示の一実施形態によるマルチバンドアンテナパッケージ構造の製造方法のステップの製品断面図である。
【図４Ｏ】本開示の一実施形態によるマルチバンドアンテナパッケージ構造の製造方法のステップの製品断面図である。
【図５Ａ】本開示の別の一実施形態によるマルチバンドアンテナパッケージ構造の製造方法のステップの製品断面図である。
【図５Ｂ】本開示の別の一実施形態によるマルチバンドアンテナパッケージ構造の製造方法のステップの製品断面図である。
【図５Ｃ】本開示の別の一実施形態によるマルチバンドアンテナパッケージ構造の製造方法のステップの製品断面図である。
【図５Ｄ】本開示の別の一実施形態によるマルチバンドアンテナパッケージ構造の製造方法のステップの製品断面図である。
【図５Ｅ】本開示の別の一実施形態によるマルチバンドアンテナパッケージ構造の製造方法のステップの製品断面図である。
【図５Ｆ】本開示の別の一実施形態によるマルチバンドアンテナパッケージ構造の製造方法のステップの製品断面図である。
【図５Ｇ】本開示の別の一実施形態によるマルチバンドアンテナパッケージ構造の製造方法のステップの製品断面図である。
【図５Ｈ】本開示の別の一実施形態によるマルチバンドアンテナパッケージ構造の製造方法のステップの製品断面図である。
【図５Ｉ】本開示の別の一実施形態によるマルチバンドアンテナパッケージ構造の製造方法のステップの製品断面図である。
【図５Ｊ】本開示の別の一実施形態によるマルチバンドアンテナパッケージ構造の製造方法のステップの製品断面図である。
【図５Ｋ】本開示の別の一実施形態によるマルチバンドアンテナパッケージ構造の製造方法のステップの製品断面図である。
【図５Ｌ】本開示の別の一実施形態によるマルチバンドアンテナパッケージ構造の製造方法のステップの製品断面図である。
【図５Ｍ】本開示の別の一実施形態によるマルチバンドアンテナパッケージ構造の製造方法のステップの製品断面図である。
【図５Ｎ】本開示の別の一実施形態によるマルチバンドアンテナパッケージ構造の製造方法のステップの製品断面図である。
【図５Ｏ】本開示の別の一実施形態によるマルチバンドアンテナパッケージ構造の製造方法のステップの製品断面図である。
【図６】本開示の一実施形態によるマルチバンドアンテナパッケージ構造を使用する通信デバイスのブロック図である。
【発明を実施するための形態】
【００２７】
本開示の目的、特徴および効果を、審査官が容易に理解できるように、本開示の詳細な説明のために添付の図面とともに実施形態が提供される。
【００２８】
第５世代（5G）移動通信システムは、異種ネットワーク、MIMO（Multiple Input Multiple Output）及びビーム形成制御、及びマイクロ波の採用の技術特性を有する。5G移動通信システムは、3つの周波数帯域をサポートするマルチモードモジュール用のチャネルを採用する。さらに、3次元集積回路（3D IC）の積層パッケージ技術は良好に開発されており、異種集積およびマイクロシステムの開発は非常に重要である。
【００２９】
したがって、本発明の目的は、高周波チップ（論理回路とメモリを有する）とアンテナユニットとを積層構造で一体化することができるマルチバンドアンテナパッケージ構造を提供することである。これにより、効率性、高い柔軟性、高いスケーラビリティ、小さな体積、薄い厚さおよび軽量さを確保するというアドバンテージを提供する。さらに、アンテナユニットは、異なる周波数帯域の干渉を排除するように設計することができ、ビーム形成のためのアンテナアレイとすることができる。
【００３０】
図１を参照。図１は、本開示の一実施形態によるマルチバンドアンテナパッケージ構造の断面図である。マルチバンドアンテナパッケージ構造1は、アンテナユニット（複数の金属パターン122によって形成されたアンテナを含む）と集積回路チップ100とを一体化したものであり、3D IC積層パッケージ構造であり、コスト効率が高く、高いスケーラビリティ、小さい体積、薄い厚さおよび軽量を実現する。マルチバンドアンテナパッケージ構造1は、C4バンプなどの複数のバンプボール101を介して基板上にさらに実装することができる。
【００３１】
具体的には、マルチバンドアンテナパッケージ構造1は、保護層102,108と、再配線層103,105と、シールド層106、アンテナユニット層107と、集積回路層104とを備えている。再配線層103は、保護層102は、酸化シリコン（SiO2）層または窒化シリコン（Si3N4）層などのパッシベーション層であり、本開示はパッシベーション層の材料を限定しない。
【００３２】
再配線層103は、複数の金属パターン110と誘電体層109とからなり、金属パターン110は、誘電体層109の開口部に配置される。金属パターン110は、銅（Cu）、金（Au）、銀（Ag）、チタン（Ti）のうちのいずれか一つであり、これに限定されない。誘電材料層109は、ポリイミド（PI）誘電材料層またはポリベンゾオキサゾール（PBO）誘電材料層のような光抵抗またはポリマー層とすることができ、本開示はこれに限定されない。
【００３３】
集積回路層104は、再配線層103上に配置され、金属ビア117、金属ピラー111、成形層116、および集積チップ100のうちの少なくとも１つを含む。成形層116は、集積回路チップ100、金属ピラー111および金属ビア117によって形成される複数の開口部を充填する。集積回路チップ100は、金属ビア117と金属ピラー111との間に配置されているが、本発明はこれに限定されるものではない。
【００３４】
集積回路チップ100は、電極パッド113と、集積回路114と、アンテナユニット112と、半導体材料115とを含む。集積回路114および電極パッド113は、半導体材料115によって覆われ得る。再配線層103の金属パターン110の一部は金属ビア117に電気的に接続され、再配線層103の金属パターン110の他の部分は金属ピラー111を介して集積回路チップ100の電極パッド113に電気的に接続される。アンテナユニット112は集積回路114上に配置され、アンテナユニット112はアンテナオンチップ方式を有し、アンテナ112はビーム形成のため。
【００３５】
本発明の実施形態において、集積回路チップ100の高さは、金属ビア117の高さと同一であり、本発明はこれに限定されるものではない。金属ビア117、金属ピラー111、アンテナ部112及び電極パッド113は、銅（Cu）、金（Au）、銀（Ag）またはチタン（Ti）で形成することができ、そこに。モールディング層116はモールディングコンパウンドまたはモールドアンダーフィル（MUF）で形成されているが、これに限定されるものではない。半導体材料115は、SiウェハまたはSi基板などのシリコン（Si）またはIII/V族であってもよく、本開示はこれに限定されない。
【００３６】
再配線層105は、集積回路層00上に配置されている。再配線層105は、複数の金属パターン119と誘電体層118とからなり、金属パターン119は、誘電体層118の開口部に配置されている。金属パターン119の一部は金属ビア117に電気的に接続されている。金属パターン119は、銅（Cu）、金（Au）、銀（Ag）またはチタン（Ti）で形成することができる。誘電材料層118は、ポリイミド（PI）誘電材料層またはポリベンゾオキサゾール（PBO）誘電材料層とすることができ、本開示はこれに限定されない。
【００３７】
シールド層106は、再配線層105上に配置されている。シールド層106は、複数の金属パターン121と誘電体層120とからなり、金属パターン121は、誘電体層120の開口部に配置される。金属パターン121は、金属パターン119の一部に電気的に接続され、シールドされるように接地される。金属パターン121は、銅（Cu）、金（Au）、銀（Ag）またはチタン（Ti）で形成することができる。誘電体層120は、ポリイミド（PI）層またはポリベンゾオキサゾール（PBO）層、誘電体層、または化学蒸着（CVD）によって形成されるような他の誘電体層であり得る。
【００３８】
シールド層106の上には、アンテナユニット層107が配置されている。アンテナユニット層107は、複数の金属パターン122と、誘電体層123の開口部に配置された誘電体層123とから構成されている金属パターン122は、金属パターン121に電気的に接続されている。金属パターン122は、アンテナユニット層107のアンテナユニットを構成し、MIMO（multiple input multiple output）位相アンテナなどのビーム形成のための平面アンテナアレイとすることができる。
【００３９】
金属パターン122は、銅（Cu）、金（Au）、銀（Ag）またはチタン（Ti）で形成することができる。誘電体層123は、ポリイミド（PI）層またはポリベンゾオキサゾール（PBO）層、誘電体層、または化学蒸着（CVD）によって形成されるような他の誘電体層であり得る。
【００４０】
保護層108は、アンテナユニット層107上に形成されている。保護層108は、パッシベーション層であり、（SiO2）層または窒化シリコン（Si3N4）層のような他の材料から形成されてもよく、本開示はパッシベーション層の材料を限定するものではない。
【００４１】
本実施形態では、アンテナ部112と、金属パターン122で形成されたアンテナ部とをパッケージングして、小型化されたシステムインパッケージ（SiP）を形成し、集積回路チップ100に１つのアンテナ部112を配置し、金属パターン122によって形成された他の１つのアンテナユニットは、集積回路チップ100の上に配置される。アンテナ部112は、第１の周波数の第１の周波数信号を放射し、金属パターン122によって形成されたアンテナ部は、第２の周波数の第２の周波数信号を放射する。周波数が高くなるほど、アンテナのサイズが小さくなるので、第１周波数と第２周波数はそれぞれ例えば60GHzと28〜38GHzである。また、アンテナ部112と金属パターン122で形成されたアンテナ部は、集積回路チップ100の両面にパッケージされ、異なる周波数帯域の干渉を除去することができる。
【００４２】
集積回路114は、フィルタ、変調器、復調器、増幅器、エンコーダ、デコーダ、暗号化回路、暗号解読回路および復号器を含む回路のような任意のタイプの処理回路とすることができることに留意されたい。さらに、実際の用途に依存して、集積回路チップ100は、アンテナユニット112を有さなくてもよい。
【００４３】
また、集積回路チップ100の高さは、金属ビア117の高さと同じに限定されるものではない。図２を参照する。図２、図２は、本開示の別の一実施形態によるマルチバンドアンテナパッケージ構造の断面図である。マルチバンドアンテナパッケージ構造1と2の違いは、集積回路チップ100'（または半導体材料115'）が金属ビア117の高さよりも低い高さを有し、成形層116が集積回路チップ100’を覆うことである。
【００４４】
いくつかの状況では、集積回路チップはアンテナユニットを有さなくてもよく、実際のアプリケーションはマルチバンド周波数動作を要求する。したがって、本開示はまた、2つのアンテナユニット層を有するマルチバンドアンテナパッケージ構造を提供する。図２を参照する。図３、図３は、本開示の別の一実施形態によるマルチバンドアンテナパッケージ構造の断面図である。マルチバンドアンテナパッケージ構造3は、C4バンプなどの複数のバンプボール101を介して基板上にさらに実装することができる。
【００４５】
具体的には、マルチバンドアンテナパッケージ構造3は、保護層102,108と、再配線層103,105と、シールド層125,106と、アンテナユニット層124,107と、集積回路層104とを備えている。アンテナユニット層124保護層102の上に保護層102の詳細が示されているので、重複する説明は省略する。
【００４６】
アンテナユニット層124は、保護層102の上に配置されている。アンテナユニット層124は、複数の金属パターン129と、誘電体層128の開口部に配置された誘電体層128とによって形成されている金属パターン129は、アンテナユニット層124のアンテナ部を構成し、MIMO（Multiple Input Multiple Output）位相アンテナなどのビーム形成のための平面アンテナアレイであってもよい。
【００４７】
遮蔽層125は、アンテナユニット層124上に配置される。遮蔽層125は、複数の金属パターン127と、誘電体層126の開口部に配置された誘電体層126とによって形成される。金属パターン127は、アンテナ部124のアンテナ部を形成する金属パターン129と電気的に連結される。金属パターン127は接地されてシールドされる。
【００４８】
前記金属パターン127,129は、銅（Cu）、金（Au）、銀（Ag）またはチタン（Ti）で形成することができる。誘電体層126および128は、ポリイミド（PI）層またはポリベンゾオキサゾール（PBO）層、誘電体材料層または他の誘電体層とすることができ、化学蒸着（CVD）によって形成されたものなどであり、本開示はこれに限定されない。
【００４９】
再配線層103は、シールド層125上に配置され、複数の金属パターン110と誘電体層109とで形成されている。金属パターン110の一部は、シールド層125の金属パターン127と電気的に接続されている。再分配層103の厚さは、図２の上記の実施形態において示されている。したがって、重複する説明は省略する。
【００５０】
集積回路層104は、再配線層103上に配置され、集積回路層104は、金属ビア117、金属ピラー111、成形層116、および集積チップ100''の少なくとも１つを含む。集積チップ100"は、その上またはその中にアンテナユニットを有していないことに留意されたい。集積回路層104および集積チップ100''の他の詳細は、図２の上記の実施形態に示されている。したがって、重複する説明は省略する。
【００５１】
再配線層105は集積回路層100上に配置され、シールド層106は再配線層105上に配置され、アンテナユニット層107はシールド層106上に配置され、保護層108はアンテナユニット層107とを備えている。再分配層105、遮蔽層106、アンテナユニット層107および保護層108の詳細は、図１の上記の実施形態で示されている。したがって、重複する説明は省略する。
【００５２】
本実施形態では、金属パターン122,129で形成されたアンテナ部をパッケージ化して、システムインパッケージ（SiP）を小型化する。金属パターン122および129によってそれぞれ形成されたアンテナユニットは、第１および第２の周波数の第１および第２の周波数信号を放射する。第１及び第２の周波数は、例えば60GHz及び28〜38GHzである。また、金属パターン122,129によって形成されたアンテナ部は、集積回路チップ100の両側にパッケージされ、異なる周波数帯域の干渉を排除することができる。
【００５３】
さらに、集積回路チップ100''の高さは、金属ビア117の高さと同じであることに限定されない。別の一実施形態では、集積回路チップ100"は、高さメタルビア117のうちの１つを含み、モールディング層116は、集積回路チップ100''を覆う。
【００５４】
さらに、図１のマルチバンドアンテナパッケージ構造1の製造方法は、図１に示されている。図４Ａ〜図４Ｏを参照。図４Ａ〜図４Ｏは、本開示の一実施形態によるマルチバンドアンテナパッケージ構造の製造方法のステップの製品断面図である。まず、図４Ａにおいて、グルー層401を有する仮キャリア基板400が提供され、誘電体材料層402が、グルー層401を介して仮キャリアー基板400上に接着される、仮キャリアー基板400は、Siまたは本発明はこれに限定されるものではない。
【００５５】
別ウィンドウ（タブ）の大きな表示で見る次に、図４Ｂに示すように、グルー層401上に誘電体材料層402'を塗布により形成し、露光及び現像によりパターニングして複数の開口部を形成する。次に、図４Ｃに示すように、金属パターン110'が誘電体層402'の開口に形成される。なお、金属パターン110'の形成は、例えば、Ti/Cuシード層の形成、Cuメッキ、残留誘電体であるCu及びTiの除去を含む工程であり、これに限定されるものではない。
【００５６】
次に、図４Ｅに示すように、金属ビア117間の金属パターン110'上に金属ピラー111を形成した後、集積回路114上にアンテナユニット112を配置した集積回路チップ1001（例えば高周波集積回路チップ）を金属集積回路114及び電極パッド113を覆うモールド材料115''を金属ピラー111を介して金属ビア117の間のパターン110'に接続する。これにより、集積回路チップ100の電極パッド113は、金属ピラー111を介して金属パターン110'の部分に電気的に接続される。
【００５７】
本実施形態では、集積回路チップ1001の高さは、金属ビア117の高さよりも高いため、本開示はこれに限定されない。他の一実施形態では、集積回路チップ1001の高さは金属ビア117の高さよりも低い。さらに、アンテナユニット112は実際にはオンチップアンテナであり、マルチバンドアンテナパッケージ構造の小型化および小型化に役立つ。
【００５８】
次に、図４Ｆに示すように、金属ピラー111、集積回路チップ1001および金属ビア117を覆うように、例えばモールドコンパウンドまたはモールドアンダーフィル（MUF）からなる成形層116'を形成する。図４Ｇに示すように、金属ビア117を露出させるために、成形層116'を薄くする（研削または化学的機械研磨（CMP）プロセスなど）。半導体材料115'の部分も薄くして半導体材料115を露出させ、集積回路集積回路チップ100が内蔵された集積回路層104が形成される。他の一実施形態では、半導体材料115''の部分を薄くすることはできない。
【００５９】
次に、図４Ｈに示すように、集積回路層104上に再配線層105を形成する。なお、集積回路層104上に誘電体層118を形成した後、誘電体層118に複数の開口を形成する。金属パターン119は誘電材料層118の開口部にあり、金属パターン119の一部は金属ビア117に電気的に接続されている。
【００６０】
次に、図４Ｉに示すように、再配線層105上に遮光層106を形成する。なお、再配線層105上に誘電体層120を形成した後、誘電体層120に複数の開口部を形成する。そして、金属パターン121は誘電体層120の開口部にあり、金属パターン121は金属パターン119の一部に電気的に接続されている。
【００６１】
別ウィンドウ（タブ）の大きな表示で見る図４Ｊに示すように、シールド層106上には、アンテナユニット層107が形成されている。なお、シールド層106上に誘電体層123が形成され、誘電体層123には複数の開口が形成されている。そして、金属パターン122は誘電体層123の開口部にあり、金属パターン122は金属パターン121に電気的に接続されている。金属パターン122は、特定の放射フィールドを有し、多入力多出力（MIMO）送信を行うように制御することができる平面アンテナアレイを形成するためのアンテナとすることができる。
【００６２】
次に、図４Ｋに示すように、アンテナユニット層107上に保護層108を形成し、第１の積層構造を形成する。次に、次に、図４Ｌに示すように、グルー層401を有する仮基板400を除去して、第１の積層構造を下にしてグルー層404によって仮基板403に接着させ、保護層108をグルー層404上に配置する。
【００６３】
次に、図４Ｍに示すように、集積回路層104上に再配線層103を形成した後、再配線層103上に金属ビア117と電気的に接続されたパッシベーション層102を形成し、金属パターン110の一部は金属ビア117に電気的に接続されている。なお、誘電体層109は、元の誘電体層402'の代わりに形成された後、誘電体層109の複数の開口部が形成され、次に誘電体層の開口部に金属パターン110が形成される再配線層103を形成することができるように、金属パターン110'を置き換える。
【００６４】
図４Ｎに示すように、パッシベーション層102上にバンプボール101を形成して第２の積層構造を形成する。次に、グルー層404および仮基板403を除去し、第２の積層構造体を図５に示すように下向きにする。4O。図２を参照する。図４Ｏに示すように、バンプボール101を介して基板に実装可能なマルチバンドアンテナパッケージ1が形成される。
【００６５】
なお、図２のマルチバンドアンテナパッケージ構造2の製造方法は、集積回路チップ1001の高さが高さよりも低く、図４の実施形態によって推測することができる。金属ビア117およびチップモールド材料115'は薄くされていない。
【００６６】
さらに、図３のマルチバンドアンテナパッケージ構造3の製造方法を以下に示す。図５Ａ〜図５Ｏは、本開示の別の一実施形態によるマルチバンドアンテナパッケージ構造の製造方法のステップの製品断面図である。なお、図５Ａ〜図５Ｄの詳細は、図４Ａ〜図４Ｄと同様であるので、重複する説明は省略する。
【００６７】
図４Ｅと図５Ｅとの間の相違点は、集積回路1001'がオンチップアンテナ（すなわち、アンテナユニット112）を有さないことである。図５Ｆ〜図５Ｎの詳細は、図４Ｆ〜図４Ｎと同様であるため、重複する説明は省略する。
【００６８】
図５Ｍにおいて、再配線層103の形成は、図４Ｍと同様であるので、重複する説明は省略する。次に、再配線層103上にシールド層125を形成する。なお、再配線層103上に誘電体層126を形成した後、誘電体層126に複数の開口部を形成する。その後、金属パターン127誘電層126の開口内にあり、金属パターン127は、金属パターン110の部分に電気的に接続されている。
【００６９】
次にシールド層125上にはアンテナユニット層124が形成されている。なお、シールド層125上には誘電体層128が形成され、誘電体層128には複数の開口が形成されている。金属パターン129は、誘電体層128の開口部にあり、金属パターン129は、金属パターン127に電気的に接続されている。金属パターン129は、別の１つの平面アンテナアレイを形成するためのアンテナとすることができ、MIMO（Multiple Input Multiple Output）伝送を行うことができる。そして、アンテナユニット層107上に保護層102を形成する。
【００７０】
次に、図５Ｎに示すように、パッシベーション層102上にバンプボール101を形成して第２の積層構造を形成する。次に、図５Ｏに示すように、グルー層404および仮基板403を除去し、第２の積層構造を下にする。図５Ｏを参照すると、バンプボール101を介して基板に実装可能なマルチバンドアンテナパッケージ構造3が形成されている。
【００７１】
さらに、図６を参照すると、図６は、本開示の一実施形態によるマルチバンドアンテナパッケージ構造を使用する通信デバイスのブロック図である。通信装置6は、集積回路が処理回路62であり、2つのアンテナユニットがそれぞれ第１および第２のアンテナユニット61および63である、上記のマルチバンドアンテナパッケージ構造の１つによって実装することができる。通信機器6は、実際の需要に応じて、暗号化通信機器であってもよいし、周波数変換機器であってもよく、本発明はこれに限定されない。
【００７２】
第１のアンテナユニット61は、第１の周波数信号を受信するために使用することができる。処理回路62は、第１の周波数信号を処理するために、フィルタ、変調器、復調器、増幅器、エンコーダ、デコーダ、暗号化回路、解読回路などの少なくとも１つを含む。そして、第２のアンテナ部63は、処理された第１周波数信号に基づいて第２周波数信号を出力する。通信装置6が周波数変換装置である場合、第１の周波数は第２の周波数と同じではない。通信装置6が暗号化された通信装置である場合、第１の周波数は第２の周波数と同じであっても異なっていてもよい。
【００７３】
結論として、提供されたマルチバンドアンテナパッケージ構造は、積層構造の無線周波数チップ（論理回路とメモリを有する）とアンテナユニットとを一体化することができ、コスト効率が高く、高い柔軟性、高いスケーラビリティ、小さな体積、薄い厚さおよび軽量。さらに、アンテナユニットは、異なる周波数帯域の干渉を排除するように設計することができ、ビーム形成のためのアンテナアレイとすることができる。
【００７４】
さらに、提供されたマルチバンドアンテナパッケージ構造を使用して、第１の周波数信号の周波数を変換して第２の周波数信号を生成する通信デバイスを実施し、盗聴者が第１の周波数信号のメッセージ情報を盗聴することができないようにすることができる。
【００７５】
本開示は、特定実施形態によって説明されているが、特許請求範囲に記載された本開示の範囲および精神から逸脱することなく、多くの変更および変形が可能である。
【図１】
2019114840.tif 000003
【図２】
2019114840.tif 000004
【図３】
2019114840.tif 000005
【図４Ａ】
2019114840.tif 000006
【図４Ｂ】
2019114840.tif 000007
【図４Ｃ】
2019114840.tif 000008
【図４Ｄ】
2019114840.tif 000009
【図４Ｅ】
2019114840.tif 000010
【図４Ｆ】
2019114840.tif 000011
【図４Ｇ】
2019114840.tif 000012
【図４Ｈ】
2019114840.tif 000013
【図４Ｉ】
2019114840.tif 000014
【図４Ｊ】
2019114840.tif 000015
【図４Ｋ】
2019114840.tif 000016
【図４Ｌ】
2019114840.tif 000017
【図４Ｍ】
2019114840.tif 000018
【図４Ｎ】
2019114840.tif 000019
【図４Ｏ】
2019114840.tif 000020
【図５Ａ】
2019114840.tif 000021
【図５Ｂ】
2019114840.tif 000022
【図５Ｃ】
2019114840.tif 000023
【図５Ｄ】
2019114840.tif 000024
【図５Ｅ】
2019114840.tif 000025
【図５Ｆ】
2019114840.tif 000026
【図５Ｇ】
2019114840.tif 000027
【図５Ｈ】
2019114840.tif 000028
【図５Ｉ】
2019114840.tif 000029
【図５Ｊ】
2019114840.tif 000030
【図５Ｋ】
2019114840.tif 000031
【図５Ｌ】
2019114840.tif 000032
【図５Ｍ】
2019114840.tif 000033
【図５Ｎ】
2019114840.tif 000034
【図５Ｏ】
2019114840.tif 000035
【図６】
2019114840.tif 000036